(57)【特許請求の範囲】
【請求項１】
光源を有する本体モジュールと、前記光源から放射される光を所定の配光にさせる配光モジュールとを備え、
前記本体モジュールと前記配光モジュールとの間には、アダプタを介在させており、
前記アダプタは、複数種の前記本体モジュールから選択される何れか１種の前記本体モジュールと、複数種の前記配光モジュールから選択される何れか１種の前記配光モジュールとが予め設定された結合の適合性を弁別するように構成されており、
前記本体モジュールと前記配光モジュールとは、前記本体モジュールと前記配光モジュールとが結合の適合性を有する場合において、前記アダプタを介して機械的に結合されることを特徴とする照明器具。
【請求項２】
前記本体モジュールは、前記光源と本体とを有し、該本体の第１面に前記光源を備えており、
前記配光モジュールは、前記光源を囲む筒状体の外形形状をしており、
前記アダプタは、外形形状が枠状の平板であることを特徴とする請求項１に記載の照明器具。
【請求項３】
前記アダプタは、第１嵌合部を備えており、
前記複数種の前記本体モジュールから選択される何れか１種の前記本体モジュールは、前記第１嵌合部と嵌合する第２嵌合部を備えており、
さらに、前記アダプタは、第３嵌合部を備えており、
前記複数種の前記配光モジュールから選択される何れか１種の前記配光モジュールは、前記第３嵌合部と嵌合する第４嵌合部を備えており、
前記アダプタは、前記本体モジュールと前記配光モジュールとの結合の適合性の弁別を、前記アダプタの前記第１嵌合部と前記本体モジュールの前記第２嵌合部との嵌合の有無と、前記アダプタの前記第３嵌合部と前記配光モジュールの前記第４嵌合部との嵌合の有無とにより行うことを特徴とする請求項１または請求項２に記載の照明器具。
【請求項４】
前記第１嵌合部は、第１凹部または第１凸部であり、
前記第２嵌合部は、前記第１凹部と嵌合する第２凸部または前記第１凸部と嵌合する第２凹部であり、
前記第３嵌合部は、第３凹部または第３凸部であり、
前記第４嵌合部は、前記第３凹部と嵌合する第４凸部または前記第３凸部と嵌合する第４凹部であることを特徴とする請求項３に記載の照明器具。
【発明の詳細な説明】
【技術分野】
【０００１】
本発明は、照明器具に関する。
【背景技術】
【０００２】
従来、照明器具としては、主要構成部分をユニット化した基本構成ユニットに対して、組み付ける部品を変更させることが可能なダウンライトが提案されている（たとえば、特許文献１）。
【０００３】
特許文献１のダウンライトは、カットオフ角度を制御するコーンなどの部品を、アダプタを介して基本構成ユニットのフレームに取り付けることができるように構成されている。特許文献１のダウンライトでは、受注内容に応じて選択した部品を基本構成ユニットに組み付けることで、顧客からの多種多様の要求に対応して、カットオフ角度等が異なる複数種のダウンライトを容易に提供することができる、としている。
【先行技術文献】
【特許文献】
【０００４】
【特許文献１】特開２００８−３４１８５号公報
【発明の概要】
【発明が解決しようとする課題】
【０００５】
ところで、照明器具では、光源の種類などに応じて複数種の基本構成ユニットが必要となる場合がある。照明器具は、たとえば、基本構成ユニットとして光源を有する本体モジュールと、コーンなどの配光モジュールとが誤った組み合わせで取り付けられると、所望の光出力特性を得ることができない虞がある。照明器具は、複数種の本体モジュールと複数種の配光モジュールとが存在する場合でも、作業者が的確に本体モジュールと配光モジュールとの適切な組み合わせを認識できる組立作業性の高い構成とすることが望ましい。
【０００６】
本発明は上記事由に鑑みて為されたものであり、その目的は、より組立作業性の高い照明器具を提供することにある。
【課題を解決するための手段】
【０００７】
本発明の照明器具は、本体モジュールと、配光モジュールとを備えている。上記本体モジュールは、光源を有している。上記配光モジュールは、上記光源から放射される光を所定の配光にさせる。上記本体モジュールと上記配光モジュールとの間には、アダプタが介在している。上記アダプタは、複数種の上記本体モジュールから選択される何れか１種の上記本体モジュールと、複数種の上記配光モジュールから選択される何れか１種の上記配光モジュールとが予め設定された結合の適合性を弁別するように構成されている。上記本体モジュールと上記配光モジュールとは、上記本体モジュールと上記配光モジュールとが結合の適合性を有する場合において、上記アダプタを介して機械的に結合されることを特徴とする。
【発明の効果】
【０００８】
本発明の照明器具は、より組立作業性を高くすることができる、という効果がある。
【図面の簡単な説明】
【０００９】
【図１】実施形態の照明器具を示す分解斜視図である。
【図２】実施形態の照明器具の要部を説明する斜視図である。
【図３】実施形態の照明器具の別の要部を説明する斜視図である。
【図４】実施形態の照明器具の他の要部を説明する斜視図である。
【図５】実施形態の照明器具の要部の組み合わせを説明する斜視図である。
【図６】実施形態の照明器具を説明する別の分解斜視図である。
【図７】実施形態の照明器具を説明する他の斜視図である。
【発明を実施するための形態】
【００１０】
以下では、本実施形態の照明器具１０について、図１ないし図７を参照しながら説明する。図中においては、同じ部材に対し、同じ番号を付して重複する説明を省略する。各図が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１１】
本実施形態の照明器具１０は、図１ないし図５に示すように、本体モジュール１と、配光モジュール２とを備えている。本体モジュール１は、光源４を有している。配光モジュール２は、光源４から放射される光を所定の配光にさせる。本体モジュール１と配光モジュール２との間には、アダプタ３を介在させている。アダプタ３は、複数種の本体モジュール１から選択される何れか１種の本体モジュール１と、複数種の配光モジュール２から選択される何れか１種の配光モジュール２とが予め設定された結合の適合性を弁別するように構成されている。複数種の本体モジュール１は、図２に例示している。複数種の配光モジュール２は、図３に例示している。本体モジュール１と配光モジュール２とは、本体モジュール１と配光モジュール２とが結合の適合性を有する場合において、アダプタ３を介して機械的に結合される。
【００１２】
本実施形態の照明器具１０は、本体モジュール１と配光モジュール２との結合の適合性を弁別するアダプタ３を有することで、本体モジュール１と配光モジュール２とが誤った組み合わせで結合されることを防止し、より組立作業性を高くすることが可能となる。
【００１３】
以下では、本実施形態の照明器具１０の構成について、より具体的に説明する。
【００１４】
本実施形態の照明器具１０は、ダウンライトを構成している。照明器具１０は、図１に示すように、本体モジュール１と、配光モジュール２と、アダプタ３と、電源モジュール５とを備えている。本体モジュール１は、本体１ａと、光源４と、固定ばね板１ｃと、反射板１ｄと、パネル部１ｅと、押え板１ｆとを備えている。
【００１５】
本体１ａは、円板状の底部１ａｄと、底部１ａｄの外周に設けられた環状の枠部１ａｅとを備えている。本体１ａは、後述するアダプタ３の第１嵌合部３ｔと嵌合する第２嵌合部１ｍを備えている。本体１ａは、底部１ａｄの中央部が窪んだ凹所１ａｃを備えている。凹所１ａｃは、光源４となるＬＥＤユニット４ａを収容できるように構成されている。本体１ａは、底部１ａｄにおいて、ＬＥＤユニット４ａが配置される第１面１ａａとは反対の第２表面１ａｂから突出する複数のフィン１ｋを備えている。フィン１ｋは、平板状の外形形状をしている。本体１ａの材料としては、たとえば、アルミニウム材料を用いて形成することができる。本体１ａは、たとえば、アルミダイキャスト製とすることができる。本体１ａは、アルミニウムを用いるだけに限られない。本体１ａは、たとえば、樹脂に比べて熱伝導性の高い材料として、銅やステンレスなどの金属材料により形成してもよい。本体１ａは、光源４で発生した熱を、フィン１ｋを介して、外部に放熱することができる。
【００１６】
ＬＥＤユニット４ａは、発光部４ｄと、実装基板４ｅとを有している。発光部４ｄは、図示していない複数個のＬＥＤチップを有している。発光部４ｄは、ＬＥＤチップを覆う封止部４ｄ１を有している。ＬＥＤユニット４ａは、複数個のＬＥＤチップを備える構成だけでなく、１個のＬＥＤチップを備える構成でもよい。ＬＥＤユニット４ａは、複数個のＬＥＤチップを電気的に直列接続しているが、並列接続してもよいし、直並列接続してもよい。発光部４ｄは、ＬＥＤチップに、青色光が発光可能な窒化ガリウム系化合物半導体を備えた青色ＬＥＤチップを用いることができる。発光部４ｄは、青色ＬＥＤチップを封止する封止部４ｄ１に、透光性のシリコーン樹脂を用いることができる。封止部４ｄ１の材料としては、シリコーン樹脂だけでなく、エポキシ樹脂やガラスなどを用いることができる。
【００１７】
発光部４ｄは、封止部４ｄ１の材料に、蛍光体を混合することができる。蛍光体は、たとえば、青色ＬＥＤチップから放射される青色光により励起されてブロードな黄色光を放射する黄色蛍光体を用いることができる。発光部４ｄは、青色ＬＥＤチップから放射される青色光と、黄色蛍光体から放射される黄色光との混色により白色光を放射することができる。
【００１８】
ＬＥＤユニット４ａは、矩形平板状の実装基板４ｅにおいて、仮想の円形の範囲内に複数個のＬＥＤチップを等間隔で配置している。ＬＥＤユニット４ａは、実装基板４ｅにおけるＬＥＤチップの実装面と反対の裏面が、本体１ａの第１面１ａａと当接している。
【００１９】
実装基板４ｅは、絶縁性基板上に、金属材料を用いた所定形状の配線が形成された構成とすることができる。絶縁性基板の材料は、たとえば、アルミナセラミックや窒化アルミニウムなどのセラミックを用いることができる。配線の金属材料は、たとえば、Ａｕなどを用いることができる。実装基板４ｅは、セラミック材料を用いたセラミック基板だけでなく、ガラスエポキシ樹脂基板や金属ベース基板などを用いてもよい。実装基板４ｅは、平面視において、矩形の外形形状だけに限られず、円形状、楕円形状や多角形状など適宜の外形形状とすることができる。
【００２０】
ＬＥＤユニット４ａは、図示していない放熱グリスを介して、本体１ａに実装基板４ｅを当接させることができる。ＬＥＤユニット４ａは、放熱グリスを介して本体１ａに当接させる場合、実装基板４ｅの裏面や本体１ａの第１面１ａａに凹凸があっても、効率よく放熱することができる。実装基板４ｅは、配線によって、複数のＬＥＤチップを電気的に接続している。実装基板４ｅは、配線を機械的に保護する絶縁性の保護膜を有している。保護膜は、光拡散材を含有する合成樹脂などにより形成することができる。保護膜は、発光部４ｄから放射された光が実装基板４ｅに吸収されるのを抑制することができる。
【００２１】
ＬＥＤユニット４ａは、固定ばね板１ｃによって本体１ａに固定されている。固定ばね板１ｃは、断面視がＬ字状の外形形状としている。固定ばね板１ｃは、固定螺子１ｃａにより、本体１ａに螺子止めされる。固定ばね板１ｃは、平板状の端部を実装基板４ｅの外周部と当接可能に構成されている。固定ばね板１ｃは、固定ばね板１ｃの端部が実装基板４ｅを本体１ａに押圧して、固定ばね板１ｃの端部と本体１ａとで実装基板４ｅを挟み持つことができるように構成されている。照明器具１０では、ＬＥＤユニット４ａが固定された本体１ａを覆うように反射板１ｄが設けられている。
【００２２】
反射板１ｄは、平面視において、環状に形成することができる。反射板１ｄは、環状の外周に突出部１ｄｂを備えている。反射板１ｄは、環状の中央部に窓孔部１ｄａを備えている。窓孔部１ｄａは、ＬＥＤユニット４ａの発光部４ｄを露出させる。窓孔部１ｄａは、反射板１ｄの背面側に突出する内周壁１ｄｄによって形成されている。内周壁１ｄｄは、ＬＥＤユニット４ａの光軸方向において、ＬＥＤユニット４ａから離れるにつれ開口面積が徐々に大きくなるように形成されている。反射板１ｄは、内周壁１ｄｄが発光部４ｄを囲んでいる。反射板１ｄは、たとえば、熱可塑性の樹脂により形成することができる。反射板１ｄは、熱可塑性の樹脂として、ポリブチレンテレフタレート樹脂を用いることができる。反射板１ｄは、樹脂材料に白色顔料を含有させて形成してもよい。反射板１ｄは、内周壁１ｄｄが発光部４ｄからの光を反射する反射面を有している。反射面は、内周壁１ｄｄの表面をそのまま利用してもよいし、内周壁１ｄｄの表面に金属膜を形成することにより構成してもよい。反射板１ｄは、光を反射する機能を備えることにより、ＬＥＤユニット４ａからの光を有効利用できる。反射板１ｄは、ＬＥＤユニット４ａを覆うパネル部１ｅと嵌め合うことができるように構成されている。
【００２３】
パネル部１ｅは、外形形状を円盤状に形成している。パネル部１ｅは、円板状のパネル本体１ｅａと、環状の周部１ｅｂとを有している。パネル本体１ｅａは、全体が透光性を備えている。パネル本体１ｅａの材料としては、たとえば、ポリカーボネート樹脂、アクリル樹脂、ポリブチレンテレフタレート樹脂などの透光性を有する樹脂材料やガラスが挙げられる。パネル本体１ｅａは、樹脂材料を用いて形成する場合、射出成形などにより形成することができる。周部１ｅｂは、パネル本体１ｅａの外縁を覆うように設けられている。周部１ｅｂは、パネル本体１ｅａの外縁を保護している。周部１ｅｂの材料としては、たとえば、樹脂やゴムなどが挙げられる。パネル部１ｅは、ＬＥＤユニット４ａを覆うように反射板１ｄの突出部１ｄｂに嵌め合わせられる。パネル部１ｅは、ＬＥＤユニット４ａを保護することができる。パネル部１ｅは、円環状の押え板１ｆにより、周部１ｅｂが反射板１ｄに押え付けられる。パネル部１ｅは、平面視の形状が円形だけに限られず、楕円形状や矩形形状など適宜の形状とすることができる。パネル部１ｅは、平板状の形状だけに限られず、フレネルレンズ、凹レンズや凸レンズを構成してもよい。
【００２４】
押え板１ｆは、押え螺子１ｆａにより、本体１ａの螺子孔部１ａｇに螺子止めされる。押え螺子１ｆａは、反射板１ｄの外周から突出した突周部１ｄｆの貫通孔１ｄｇに挿通される。押え螺子１ｆａは、押え板１ｆを用いて、パネル部１ｅおよび反射板１ｄを、本体１ａに固定する。パネル部１ｅや反射板１ｄは、本体１ａに着脱自在に取り付けられている。本体モジュール１は、押え螺子１ｆａにより、押え板１ｆを介して、パネル部１ｅと、反射板１ｄと、ＬＥＤユニット４ａを備えた本体１ａとを一体化している。押え板１ｆは、パネル部１ｅを本体１ａ側に押圧できればよく、必ずしも円環状の外形形状だけに限られない。押え板１ｆは、たとえば、金属材料や樹脂材料を用いて形成することができる。
【００２５】
配光モジュール２は、光源４から放射される光を所定の角度に所定の強度で照射させる配光機能を備えている。配光モジュール２は、筒状の枠体２ａと、外径が枠体２ａよりも小さい円筒状のコーン２ｃと、取付ばね２ｄとを備えている。枠体２ａは、後述するアダプタ３の第３嵌合部３ｎと嵌合する第４嵌合部２ｓを備えている。枠体２ａは、円筒状の枠体部２ａａと、枠体部２ａａの一端から外方へ延びるように形成された外鍔部２ａｂとを有している。枠体部２ａａは、外周に保持部２ａｃを備えている。保持部２ａｃは、取付ばね２ｄの一端部２ｄａが挿入され、取付ばね２ｄを枠体２ａに保持することができる。枠体２ａの材料としては、たとえば、アルミニウムやステンレスなどの金属材料を用いることができる。枠体２ａの材料としては、金属材料だけに限られず、各種の樹脂材料で構成してもよい。配光モジュール２は、光源４から放射された光の配光を制御するコーン２ｃを枠体２ａの内側に設けている。
【００２６】
コーン２ｃは、配光モジュール２において、本体１ａ側から本体１ａと反対側に向かって開口径が広がる形状としている。配光モジュール２は、コーン２ｃの形状により、光源４から放射される光の配光を制御することができるように構成されている。コーン２ｃは、光源４から放射される光の一部をカットして、照明器具１０からの光の広がり角度を所定の範囲内とさせることができる。また、コーン２ｃは、光源４から放射される光を反射させて、所定の配光が得られるようにしてもよい。コーン２ｃは、角度や表面処理により、グレアを生ずる光源４に対する角度の設定や器具効率に作用する副反射板を構成している。配光モジュール２は、枠体２ａの開口部２ａｏにコーン２ｃを挿入して固定できるように構成されている。コーン２ｃの材料としては、たとえば、アルミニウムやステンレスなどの金属材料を用いることができる。コーン２ｃの材料としては、金属材料だけに限られず、各種の樹脂材料で構成してもよい。
【００２７】
取付ばね２ｄは、Ｌ字状の外形形状をしている。取付ばね２ｄは、長尺の金属板の折り曲げ加工により形成することができる。枠体２ａには、３つの取付ばね２ｄが設けられているが、取付ばね２ｄの数は３つに限られず、２つでもよいし、４つ以上であってもよい。
【００２８】
アダプタ３は、枠状の平板の外形形状をしている。アダプタ３は、円環状の枠本体３ａと、枠本体３ａの内周から中心に向かって突出する突出片３ｅを備えている。アダプタ３は、本体モジュール１の第２嵌合部１ｍと嵌合する第１嵌合部３ｔを突出片３ｅに備えている。第１嵌合部３ｔは、たとえば、突出片３ｅに設けた第１凹部３ｔａにより形成することができる。第１凹部３ｔａは、突出片３ｅの厚み方向に窪んだ構造や突出片３ｅの厚み方向に貫通した構造とすることができる。アダプタ３は、配光モジュール２の第４嵌合部２ｓと嵌合する第３嵌合部３ｎを枠本体３ａに備えている。第３嵌合部３ｎは、たとえば、枠本体３ａに設けた第３凹部３ｎａにより形成することができる。第３凹部３ｎａは、枠本体３ａの厚み方向に窪んだ構造や枠本体３ａの厚み方向に貫通した構造とすることができる。第１凹部３ｔａと第３凹部３ｎａは、互いに窪んだ構造の場合、アダプタ３の厚み方向に対して、互いに異なる向きに設けられる。
【００２９】
アダプタ３の材料としては、たとえば、樹脂材料や金属材料を利用することができる。アダプタ３は、たとえば、樹脂材料の射出成形により、金属材料と比較して、所定の形状に精度よく形成させることができる。アダプタ３は、金属材料を用いることで、樹脂材料と比較して、本体モジュール１と配光モジュール２との間の熱伝導を行いやすくすることができる。アダプタ３は、金属材料を用いることで、照明器具１０全体の放熱性を高めることが可能となる。アダプタ３は、平面視において、第１凹部３ｔａや第３凹部３ｎａの形状を円形としているが、円形だけに限られず、三角形、四角形などの多角形や楕円形状などとしてもよい。照明器具１０は、アダプタ３を介して、配光モジュール２と本体モジュール１の本体１ａとを図示していない螺子により螺合することで固定することができる。
【００３０】
照明器具１０は、図示していない外部の電源と電気的に接続する電源モジュール５を備えている。電源モジュール５は、電源ユニット５ａと、端子台５ｂと、電源ユニット５ａと端子台５ｂとを固定させる電源カバー５ｃとを備えている。電源ユニット５ａは、本体モジュール１の光源４に適宜の電力を給電できるように構成されている。端子台５ｂは、外部の電源として、たとえば、商用交流電源と電気的に接続できるように構成されている。電源ユニット５ａは、図示していない点灯回路部を内部に備えている。電源ユニット５ａは、点灯回路部と端子台５ｂとを電気的に接続させている。点灯回路部は、商用交流電源と電気的に接続される。点灯回路部は、ＬＥＤユニット４ａと電気的に接続される。電源ユニット５ａは、点灯回路部がＬＥＤユニット４ａの点灯を制御可能としている。点灯回路部は、商用交流電源から供給される交流電流を整流した後に、平滑化して直流電流を出力する整流平滑部と、整流平滑部からの直流電流を一定の電流としてＬＥＤユニット４ａに供給する定電流電源部とを備えた構成とすることができる。電源ユニット５ａは、ＬＥＤユニット４ａの明るさを調光する機能を備えてもよい。電源カバー５ｃは、電源ユニット５ａおよび端子台５ｂを覆って本体１ａに固定することができるように構成されている。電源カバー５ｃは、たとえば、金属板を適宜に折り曲げ加工することにより形成することができる。照明器具１０は、たとえば、光源４からの光出力や調光機能の有無の違いにより適宜の電源モジュール５を本体モジュール１と接続できるように構成している。照明器具１０は、本体１ａと別体に電源ユニット５ａを備える構成だけでなく、本体１ａの内部に電源ユニット５ａを備える構成としてもよい。
【００３１】
以下では、照明器具１０における本体モジュール１と、配光モジュール２と、アダプタ３との組み合わせについて説明する。
【００３２】
照明器具１０は、たとえば、光源４から放射させる光出力の大きさに応じて、たとえば、４種類のＬＥＤユニット４ａを用いることができる。ＬＥＤユニット４ａは、ＬＥＤチップの数が増加すれば、光出力を大きくさせることが可能となる。照明器具１０は、ＬＥＤユニット４ａから放射される光出力が大きくなるにつれ、ＬＥＤユニット４ａで発生する熱量も大きくなる傾向にある。照明器具１０では、光出力が異なる４種類のＬＥＤユニット４ａに応じて、本体１ａの大きさや形状が異なる４種類の本体モジュール１が予め備えられている。４種類の本体モジュール１は、それぞれ４種類のＬＥＤユニット４ａの何れかを本体１ａに収納することができる。本体モジュール１は、たとえば、図２に示す４種類とすることができる。
【００３３】
図２では、説明の便宜上、４種類の本体モジュール１のうち、本体１ａの外径がφ１００ｍｍの比較的寸法が小さい構造を第１本体モジュール１１と称する。本体モジュール１は、本体１ａの外径がφ１２５ｍｍで第１本体モジュール１１よりも大きい構造を第２本体モジュール１２と称する。第１本体モジュール１１には、光源４の種類や光出力に応じて、フィン１ｋの大きさや構造が異なる複数の種類を備えていてもよく、第１本体モジュール１１のうち、光源４の光出力が比較的に小さい本体モジュール１を第３本体モジュール１３と称する。第１本体モジュール１１は、第３本体モジュール１３より光源４の光出力が大きい本体モジュール１を第４本体モジュール１４と称する。第２本体モジュール１２は、光源４の種類や光出力に応じて、フィン１ｋの大きさや構造が異なる複数の種類を備えていてもよい。図２では、第２本体モジュール１２のうち、光源４の光出力が第４本体モジュール１４に用いられる光源４の光出力よりも大きい本体モジュール１を第５本体モジュール１５と称する。第２本体モジュール１２では、第５本体モジュール１５より光源４の光出力が大きい本体モジュール１を、第６本体モジュール１６と称する。
【００３４】
また、照明器具１０では、たとえば、本体モジュール１の光源４から放射された光を制御する配光特性、配光モジュール２の外形寸法の大きさなどに応じて、予め複数種の配光モジュール２を備えられている。配光モジュール２は、たとえば、図３に示す８種類とすることができる。
【００３５】
図３に示す配光モジュール２は、複数の配光モジュール２のうち、光源４からのグレアカットの角度を１５°に設定した構造の配光モジュール２を、第１配光モジュール２１と称する。グレアカットとは、光源４からの直接光が目に入ると不快な眩しさがあるため、眩しさを取り除くことをいう。配光モジュール２は、第１配光モジュール２１よりグレアカットの角度をより大きい３０°に設定した構造の配光モジュール２を、第２配光モジュール２２と称する。配光モジュール２は、第１配光モジュール２１のうち、外径の大きさが比較的に小さいφ１００ｍｍの構造を第３配光モジュール２３と称する。配光モジュール２は、第３配光モジュール２３よりも外径が大きいφ１２５ｍｍの構造を第４配光モジュール２４と称する。配光モジュール２は、第１配光モジュール２１のうち、第４配光モジュール２４よりも外径が大きいφ１５０ｍｍの構造を第５配光モジュール２５と称する。配光モジュール２は、第５配光モジュール２５よりも外径が大きいφ１７５ｍｍの構造を第６配光モジュール２６と称する。配光モジュール２は、第１配光モジュール２１のうち、第６配光モジュール２６よりも外径が大きいφ２００ｍｍの構造を第７配光モジュール２７と称する。
【００３６】
第１配光モジュール２１は、３つの第４嵌合部２ｓを備えている。第４嵌合部２ｓは、たとえば、円筒状の枠体部２ａａの軸方向に沿って、枠体部２ａａにおける外鍔部２ａｂと反対側に設けられた第４凸部２ｓａにより形成することができる。第４凸部２ｓａは、枠体部２ａａの軸方向に沿って、枠体部２ａａから外方に突出している。第４凸部２ｓａは、円柱状の外形形状としている。３つの第４凸部２ｓａは、枠体部２ａａの周方向に沿って、等間隔に配置している。第１配光モジュール２１のうち、第３配光モジュール２３ないし第７配光モジュール２７は、枠体部２ａａの外形形状の大きさの違いにより、第４凸部２ｓａの位置が異なっている。
【００３７】
配光モジュール２は、第２配光モジュール２２のうち、外径の大きさが比較的に小さいφ１００ｍｍの構造を第８配光モジュール２８と称する。配光モジュール２は、第８配光モジュール２３よりも外径が大きいφ１２５ｍｍの構造を第９配光モジュール２９と称する。配光モジュール２は、第２配光モジュール２２のうち、第９配光モジュール２９よりも外径が大きいφ１５０ｍｍの構造を第１０配光モジュール３０と称する。第２配光モジュール２２は、４つの第４凸部２ｓａを備えている。第２配光モジュール２２は、第１配光モジュール２１の第４凸部２ｓａと、枠体部２ａａにおける位置および数が異なる。第２配光モジュール２２のうち、第８配光モジュール２８ないし第１０配光モジュール３０は、枠体部２ａａの外形形状の大きさの違いにより、第４凸部２ｓａの位置が異なっている。
【００３８】
第３本体モジュール１３は、第３配光モジュール２３ないし第６配光モジュール２６や、第８配光モジュール２８ないし第１０配光モジュール３０と組み合すことができるように、予め設計されている。第４本体モジュール１４は、第３配光モジュール２３ないし第６配光モジュール２６や、第８配光モジュール２８ないし第１０配光モジュール３０と組み合すことができるように、予め設計されている。第５本体モジュール１５は、第４配光モジュール２４ないし第７配光モジュール２７や、第９配光モジュール２９、第１０配光モジュール３０と組み合すことができるように、予め設計されている。第６本体モジュール１６は、第４配光モジュール２４ないし第７配光モジュール２７や、第９配光モジュール２９、第１０配光モジュール３０と組み合すことができるように、予め設計されている。
【００３９】
図４では、複数種の本体モジュール１と、複数種の配光モジュール２との間に介在するアダプタ３として、たとえば、８種類のアダプタ３を図示している。アダプタ３は、本体モジュール１や配光モジュール２と適合する場合、結合できる構成であればよい。照明器具１０は、複数種の本体モジュール１から選択される何れか１種の本体モジュール１と適合するように、第１凹部３ｔａの数や配置が異なる複数種のアダプタ３を備えている。照明器具１０は、複数種の配光モジュール２から選択される何れか１種の配光モジュール２と適合するように、第３凹部３ｎａの数や配置が異なるアダプタ３を備えている。
【００４０】
以下では、図４および図５に示す８種類のアダプタ３のうち、第３本体モジュール１３と第３配光モジュール２３とを嵌め合すことができる構造のアダプタ３を、図４Ａに示すように、第１アダプタ３１と称する。アダプタ３は、第４本体モジュール１４と第３配光モジュール２３とを嵌め合すことができる構造のアダプタ３を、図４Ｂに示すように、第２アダプタ３２と称する。アダプタ３は、第３本体モジュール１３と第４配光モジュール２４とを嵌め合すことができる構造のアダプタ３を、図４Ｃに示すように、第３アダプタ３３と称する。アダプタ３は、第４本体モジュール１４と第４配光モジュール２４とを嵌め合すことができる構造のアダプタ３を、図４Ｄに示すように、第４アダプタ３４と称する。アダプタ３は、第３本体モジュール１３と第８配光モジュール２８とを嵌め合すことができる構造のアダプタ３を、図４Ｅに示すように、第５アダプタ３５と称する。アダプタ３は、第４本体モジュール１４と第８配光モジュール２８とを嵌め合すことができる構造のアダプタ３を、図４Ｆに示すように、第６アダプタ３６と称する。アダプタ３は、第３本体モジュール１３と第９配光モジュール２９とを嵌め合すことができる構造のアダプタ３を、図４Ｇに示すように、第７アダプタ３７と称する。アダプタ３は、第４本体モジュール１４と第９配光モジュール２９とを嵌め合すことができる構造のアダプタ３を、図４Ｈに示すように、第８アダプタ３８と称する。
【００４１】
第１アダプタ３１は、枠本体３ａの厚み方向に窪んだ第３凹部３ｎａを３つ備えている。３つの第３凹部３ｎａは、枠本体３ａの周方向に沿って等間隔に設けられている。第１アダプタ３１は、円環状の枠本体３ａの内周から中心に向かって突出する突出片３ｅを３つ備えている。突出片３ｅは、枠本体３ａの周方向に沿って等間隔に設けられている。突出片３ｅは、厚み方向に窪んだ第１凹部３ｔａを備えている。図４では、第３凹部３ｎａが枠本体３ａの厚み方向に貫通する孔を構成しており、第１凹部３ｔａが突出片３ｅの厚み方向に貫通する孔を構成している。第１アダプタ３１は、３つの第１凹部３ｔａと、３つの第３凹部３ｎａとを、第１アダプタ３１における中心を基準として、略点対称に配置している。
【００４２】
第２アダプタ３２は、枠本体３ａの厚み方向に貫通する第３凹部３ｎａを３つ備えている。第２アダプタ３２は、突出片３ｅを４つ備えている。突出片３ｅは、枠本体３ａの周方向に沿って等間隔に設けられている。突出片３ｅは、厚み方向に貫通する第１凹部３ｔａを備えている。第２アダプタ３２は、外径を第１アダプタ３１と同じ大きさとしている。第２アダプタ３２は、厚み方向に沿って第１アダプタ３１を投影させると、第２アダプタ３２における３つの第３凹部３ｎａと、第１アダプタ３１における３つの第３凹部３ｎａとの位置とが一致するように構成している。
【００４３】
第３アダプタ３３は、枠本体３ａの厚み方向に貫通する第３凹部３ｎａを３つ備えている。第３アダプタ３３は、突出片３ｅを３つ備えている。突出片３ｅは、厚み方向に貫通する第１凹部３ｔａを備えている。第３アダプタ３３は、３つの第１凹部３ｔａと、３つの第３凹部３ｎａとを、第３アダプタ３３における中心を基準として、略点対称となるように配置している。第３アダプタ３３は、厚み方向に沿って第１アダプタ３１を投影させると、第３アダプタ３３における３つの第１凹部３ｔａと、第１アダプタ３１における３つの第１凹部３ｔａとの位置とが一致するように構成している。第３アダプタ３３は、第１アダプタ３１よりも枠本体３ａの外径が大きい。第３アダプタ３３の突出片３ｅは、厚み方向に沿って第１アダプタ３１を投影させると、第３アダプタ３３の第１凹部３ｔａと、第１アダプタ３１の第１凹部３ｔａとの位置とが一致するように構成している。第３アダプタ３３の突出片３ｅは、第３アダプタ３３の第１凹部３ｔａと、第１アダプタ３１の第１凹部３ｔａとの位置とが一致できるように、第１アダプタ３１よりも中心に向かって突出する突出量を大きくしている。
【００４４】
第４アダプタ３４は、枠本体３ａの厚み方向に貫通する第３凹部３ｎａを３つ備えている。第４アダプタ３４は、第１凹部３ｔａを有する突出片３ｅを４つ備えている。第４アダプタ３４は、第２アダプタ３２よりも外径を大きくしている。第４アダプタ３４の突出片３ｅは、厚み方向に沿って第２アダプタ３２を投影させると、第４アダプタ３４の第１凹部３ｔａと、第２アダプタ３２の第１凹部３ｔａとの位置とが一致するように構成している。第４アダプタ３４の突出片３ｅは、第４アダプタ３４の第１凹部３ｔａと、第２アダプタ３２の第１凹部３ｔａとの位置とが一致できるように、第２アダプタ３２よりも中心に向かって突出する突出量を大きくしている。第４アダプタ３４は、外径を第３アダプタ３３と同じ大きさとしている。第４アダプタ３４は、厚み方向に沿って第３アダプタ３３を投影させると、第４アダプタ３４における３つの第３凹部３ｎａと、第３アダプタ３３における３つの第３凹部３ｎａとの位置とが一致するように構成している。
【００４５】
第５アダプタ３５は、枠本体３ａの厚み方向に貫通する第３凹部３ｎａを４つ備えている。４つの第３凹部３ｎａは、枠本体３ａの周方向に沿って等間隔に設けられている。第５アダプタ３５は、第１凹部３ｔａを有する突出片３ｅを３つ備えている。第５アダプタ３５は、外径を第１アダプタ３１と同じ大きさとしている。第５アダプタ３５は、厚み方向に沿って第１アダプタ３１を投影させると、第５アダプタ３５における３つの第３凹部３ｎａと、第１アダプタ３１における３つの第３凹部３ｎａとの位置とが一致するように構成している。
【００４６】
第６アダプタ３６は、枠本体３ａの厚み方向に貫通する第３凹部３ｎａを４つ備えている。第６アダプタ３６は、第１凹部３ｔａを有する突出片３ｅを４つ備えている。第６アダプタ３６は、外径を第２アダプタ３２と同じ大きさとしている。第６アダプタ３６は、厚み方向に沿って第２アダプタ３２を投影させると、第６アダプタ３６における４つの第１凹部３ｔａと、第２アダプタ３２における４つの第１凹部３ｔａとの位置とが一致するように構成している。第６アダプタ３６は、厚み方向に沿って第５アダプタ３５を投影させると、第６アダプタ３６における４つの第３凹部３ｎａと、第５アダプタ３５における４つの第３凹部３ｎａとの位置とが一致するように構成している。
【００４７】
第７アダプタ３７は、枠本体３ａの厚み方向に貫通する第３凹部３ｎａを４つ備えている。４つの第３凹部３ｎａは、枠本体３ａの周方向に沿って等間隔に設けている。第７アダプタ３７は、第１凹部３ｔａを有する突出片３ｅを３つ備えている。第７アダプタ３７は、外径を第３アダプタ３３と同じ大きさとしている。第７アダプタ３７は、厚み方向に沿って第３アダプタ３３を投影させると、第７アダプタ３７における３つの第１凹部３ｔａと、第３アダプタ３３における３つの第１凹部３ｔａとの位置とが一致するように構成している。
【００４８】
第８アダプタ３８は、枠本体３ａの厚み方向に貫通する第３凹部３ｎａを４つ備えている。第８アダプタ３８は、第１凹部３ｔａを有する突出片３ｅを４つ備えている。第８アダプタ３８は、外径を第４アダプタ３４と同じ大きさとしている。第８アダプタ３８は、厚み方向に沿って第４アダプタ３４を投影させると、第８アダプタ３８における４つの第１凹部３ｔａと、第４アダプタ３４における４つの第１凹部３ｔａとの位置とが一致するように構成している。第８アダプタ３８は、厚み方向に沿って第７アダプタ３７を投影させると、第８アダプタ３８における４つの第３凹部３ｎａと、第７アダプタ３７における４つの第３凹部３ｎａとの位置とが一致するように構成している。
【００４９】
図５では、第３本体モジュール１３または第４本体モジュール１４と、第３配光モジュール２１、第４配光モジュール２４、第８配光モジュール２８および第９配光モジュール２９とを、組み合わせ可能なアダプタ３が存在していることを示している。図５中の実線の矢印または一点鎖線の矢印は、本体モジュール１とアダプタ３や配光モジュール２とアダプタ３とが結合可能な適合性を有する組み合わせを示している。図５中の点線の矢印は、本体モジュール１とアダプタ３や配光モジュール２とアダプタ３とが結合ができない組み合わせを示している。本体モジュール１と配光モジュール２とアダプタ３とは、本体モジュール１の第２凸部１ｍａがアダプタ３の第１凹部３ｔａに挿入され、配光モジュール２の第４凸部２ｓａが第３凹部３ｎａに挿入されるか否かで、組み合わせの弁別を行い得る。
【００５０】
照明器具１０では、第３本体モジュール１３の第２凸部１ｍａの数と位置とが、第１アダプタ３１、第３アダプタ３３、第５アダプタ３５および第７アダプタ３７に設けられた第１凹部３ｔａの数と位置とが対応している。照明器具１０では、第３本体モジュール１３の第２凸部１ｍａと、第１アダプタ３１、第３アダプタ３３、第５アダプタ３５および第７アダプタ３７に設けられた第１凹部３ｔａとを、嵌め合うことが可能に構成されている。照明器具１０では、第３本体モジュール１３の第２凸部１ｍａの数と位置とが、第２アダプタ３２、第４アダプタ３４、第６アダプタ３６や第８アダプタ３８の第１凹部３ｔａの数と位置とに対応していない。照明器具１０では、第３本体モジュール１３の第２凸部１ｍａと、第２アダプタ３２、第４アダプタ３４、第６アダプタ３６や第８アダプタ３８の第１凹部３ｔａとが、嵌め合うことのできないように構成されている。
【００５１】
照明器具１０では、第４本体モジュール１４の第２凸部１ｍａの数と位置とが、第２アダプタ３２、第４アダプタ３４、第６アダプタ３６および第８アダプタ３８に設けられた第１凹部３ｔａの数と位置とが対応している。照明器具１０では、第４本体モジュール１４の第２凸部１ｍａと、第２アダプタ３２、第４アダプタ３４、第６アダプタ３６および第８アダプタ３８に設けられた第１凹部３ｔａとを、嵌め合うことが可能に構成されている。照明器具１０では、第４本体モジュール１４の第２凸部１ｍａの数と位置とが、第１アダプタ３１、第３アダプタ３３、第５アダプタ３５や第７アダプタ３７の第１凹部３ｔａの数と位置とに対応していない。照明器具１０は、第４本体モジュール１４の第２凸部１ｍａと、第１アダプタ３１、第３アダプタ３３、第５アダプタ３５や第７アダプタ３７の第１凹部３ｔａとが、嵌め合うことのできないように構成されている。
【００５２】
照明器具１０では、第３配光モジュール２３の第４凸部２ｓａの数と位置とが、第１アダプタ３１や第２アダプタ３２に設けられた第３凹部３ｎａの数と位置とに対応している。照明器具１０では、第３配光モジュール２３の第４凸部２ｓａと、第１アダプタ３１や第２アダプタ３２に設けられた第３凹部３ｎａとを、嵌め合うことが可能に構成されている。照明器具１０では、第３配光モジュール２３の第４凸部２ｓａの数と位置とが、第３アダプタ３３ないし第８アダプタ３８の第３凹部３ｎａの数と位置とに対応していない。照明器具１０では、第３配光モジュール２３の第４凸部２ｓａと、第３アダプタ３３ないし第８アダプタ３８の第３凹部３ｎａとが、嵌め合うことのできないように構成されている。
【００５３】
照明器具１０では、第４配光モジュール２４の第４凸部２ｓａの数と位置とが、第３アダプタ３３や第４アダプタ３４に設けられた第３凹部３ｎａの数と位置とに対応している。照明器具１０では、第４配光モジュール２４の第４凸部２ｓａと、第３アダプタ３３や第４アダプタ３４に設けられた第３凹部３ｎａとを、嵌め合うことが可能に構成されている。照明器具１０では、第４配光モジュール２４の第４凸部２ｓａの数と位置とが、第１アダプタ３１、第２アダプタ３２、第５アダプタ３５ないし第８アダプタ３８の第３凹部３ｎａの数と位置とに対応していない。照明器具１０では、第４配光モジュール２４の第４凸部２ｓａと、第１アダプタ３１、第２アダプタ３２、第５アダプタ３５ないし第８アダプタ３８の第３凹部３ｎａとが、嵌め合うことのできないように構成されている。
【００５４】
照明器具１０では、第８配光モジュール２８の第４凸部２ｓａの数と位置とが、第５アダプタ３５や第６アダプタ３６に設けられた第３凹部３ｎａの数と位置とに対応している。照明器具１０では、第８配光モジュール２８の第４凸部２ｓａと、第５アダプタ３５や第６アダプタ３６に設けられた第３凹部３ｎａとを、嵌め合うことが可能に構成されている。照明器具１０では、第８配光モジュール２８の第４凸部２ｓａの数と位置とが、第１アダプタ３１ないし第４アダプタ３４、第７アダプタ３７および第８アダプタ３８の第３凹部３ｎａの数と位置とに対応していない。照明器具１０では、第８配光モジュール２８の第４凸部２ｓａと、第１アダプタ３１ないし第４アダプタ３４、第７アダプタ３７および第８アダプタ３８の第３凹部３ｎａとが、嵌め合うことのできないように構成されている。
【００５５】
照明器具１０では、第９配光モジュール２９の第４凸部２ｓａの数と位置とが、第７アダプタ３７や第８アダプタ３８に設けられた第３凹部３ｎａの数と位置とに対応している。照明器具１０では、第９配光モジュール２９の第４凸部２ｓａと、第７アダプタ３７や第８アダプタ３８に設けられた第３凹部３ｎａとを、嵌め合うことが可能に構成されている。照明器具１０では、第９配光モジュール２９の第４凸部２ｓａの数と位置とが、第１アダプタ３１ないし第６アダプタ３６の第３凹部３ｎａの数と位置とに対応していない。照明器具１０では、第９配光モジュール２９の第４凸部２ｓａと、第１アダプタ３１ないし第６アダプタ３６の第３凹部３ｎａとが、嵌め合うことのできないように構成されている。
【００５６】
照明器具１０は、第１アダプタ３１ないし第８アダプタ３８の１つを介して、第３本体モジュール１３または第４本体モジュール１４と、第３配光モジュール２３、第４配光モジュール２４、第８配光モジュール２８や第９配光モジュール２９とを組み合わせられる。照明器具１０では、第３本体モジュール１３または第４本体モジュール１４と、第３配光モジュール２３、第４配光モジュール２４、第８配光モジュール２８や第９配光モジュール２９との組み合わせには、必ず１種類のアダプタ３が必要となる。そのため、照明器具１０では、複数種の本体モジュール１と複数種の配光モジュール２とを組み合わせようとしても、アダプタ３が適合していなければ、作業者が誤った組み合わせを選択できないように構成されている。照明器具１０は、組合せ可能な本体モジュール１と配光モジュール２との間に介在させるアダプタ３が必ず１種類となるように構成することで、作業者が誤った組み合わせを選択できず、正しい組立が可能となり、組立作業性を高めることが可能となる。照明器具１０は、工場出荷時だけに限られず、店舗などの施工現場において、複数種の本体モジュール１と複数種の配光モジュール２とが存在してもいても、適宜のアダプタ３を選択することで、誤った組み合わせで組み立てられることを防止することが可能となる。
【００５７】
本実施形態の照明器具１０では、上述のごとく、本体モジュール１は、光源４と本体１ａとを有し、本体１ａの第１面１ａａに光源４を備えている。配光モジュール２は、光源４を囲む筒状体の外形形状をしている。アダプタ３は、外形形状が枠状の平板としている。
【００５８】
照明器具１０は、枠状の平板のアダプタ３を備えることにより、アダプタ３の存在により大型化することを抑制することが可能となる。
【００５９】
アダプタ３は、第１嵌合部３ｔを備えている。複数種の本体モジュール１から選択される何れか１種の本体モジュール１は、第１嵌合部３ｔと嵌合する第２嵌合部１ｍを備えている。アダプタ３は、第３嵌合部３ｎを備えている。複数種の配光モジュール２から選択される何れか１種の配光モジュール２は、第３嵌合部３ｎと嵌合する第４嵌合部２ｓを備えている。アダプタ３は、本体モジュール１と配光モジュール２との結合の適合性の弁別を、アダプタ３の第１嵌合部３ｔと本体モジュール１の第２嵌合部１ｍとの嵌合の有無と、アダプタ３の第３嵌合部３ｎと配光モジュール２の第４嵌合部２ｓとの嵌合の有無とにより行う。
【００６０】
照明器具１０は、第１嵌合部３ｔ、第２嵌合部１ｍ、第３嵌合部３ｎおよび第４嵌合部２ｓを備えることにより、比較的に簡単な構成で、本体モジュール１と配光モジュール２とアダプタ３との結合の適合性を弁別させることが可能となる。
【００６１】
第１嵌合部３ｔは、第１凹部３ｔａまたは図示していない第１凸部で構成することができる。第２嵌合部１ｍは、第１凹部３ｔａと嵌合する第２凸部１ｍａまたは上記第１凸部と嵌合する図示していない第２凹部で構成することができる。第３嵌合部３ｎは、第３凹部３ｎａまたは図示していない第３凸部で構成することができる。第４嵌合部２ｓは、第３凹部３ｎａと嵌合する第４凸部２ｓａまたは上記第３凸部と嵌合する図示していない上記第４凹部で構成することができる。
【００６２】
照明器具１０は、第１凹部３ｔａと第２凸部１ｍａとの嵌合や第３凹部３ｎａと第４凸部２ｓａとの嵌合などを行うだけの比較的簡単な方法で、本体モジュール１と配光モジュール２とアダプタ３との結合の適合性を弁別させることが可能となる。
【００６３】
第１嵌合部３ｔは、第１凹部３ｔａまたは上記第１凸部の何れか一方を備えていればよく、必ずしも第１凹部３ｔａまたは上記第１凸部だけを有する構成に限られない。第２嵌合部１ｍは、第２凸部１ｍａまたは上記第２凹部の何れか一方を備えていればよく、必ずしも第２凸部１ｍａまたは上記第２凹部だけを有する構成に限られない。第３嵌合部３ｎは、第３凹部３ｎａまたは上記第３凸部の何れか一方を備えていればよく、第３凹部３ｎａまたは上記第３凸部だけを有する構成に限られない。第４嵌合部２ｓは、第４凸部２ｓａまたは上記第４凹部の何れか一方を備えていればよく、第４凸部２ｓａまたは上記第４凹部だけを有する構成に限られない。
【００６４】
本実施形態の照明器具１０では、適宜のアダプタ３を選択することで、図６に示す照明器具１０ａや図７に示す照明器具１０ｂのような、本体モジュール１と配光モジュール２とを備えた構成に組み立てることもできる。図６に示す照明器具１０ａでは、本体モジュール１の構成を簡略化しており、電源モジュール５を図示していない。
【００６５】
図７に示す照明器具１０ｂは、造営材たる天井材５０に貫設された取付孔５０ａａに本体１ａが埋め込まれ、枠体２ａの外鍔部２ａｂが天井材５０における取付孔５０ａａの周部に当接する形で天井材５０に取り付けられる。照明器具１０ｂは、照明器具１０ｂの施工にあたり、商用交流電源からの電線５１と端子台５ｂとを電気的に接続される。照明器具１０ｂは、電線５１と端子台５ｂとが電気的に接続された後、配光モジュール２の枠体２ａに設けられた取付ばね２ｄの一端部２ｄａと反対の他端部２ｄｂを、枠体２ａ側に近づけるように押し倒した状態で、天井材５０の取付孔５０ａａに挿入する。照明器具１０ｂは、枠体２ａの外鍔部２ａｂが天井材５０の取付孔５０ａａの周部に当接するまで取付孔５０ａａに押し込まれると、取付ばね２ｄが枠体２ａから離れる方向に開く。照明器具１０は、取付ばね２ｄの他端部２ｄｂが取付孔５０ａａの周部にばねの弾性力を付与し、取付ばね２ｄの他端部２ｄｂと、枠体２ａの外鍔部２ａｂとで天井材５０を挟持することにより、天井材５０に取り付けられる。
【符号の説明】
【００６６】
１  本体モジュール
１ａ  本体
１ａａ  第１面
１ｍ  第２嵌合部
１ｍａ  第２凸部
２  配光モジュール
２ｓ  第４嵌合部
２ｓａ  第４凸部
３  アダプタ
３ｔ  第１嵌合部
３ｔａ  第１凹部
３ｎ  第３嵌合部
３ｎａ  第３凹部
４  光源
１０  照明器具
【図１】
0006304545.tif 000002
【図２】
0006304545.tif 000003
【図３】
0006304545.tif 000004
【図４】
0006304545.tif 000005
【図５】
0006304545.tif 000006
【図６】
0006304545.tif 000007
【図７】
0006304545.tif 000008